(57)【要約】  患者支持器であって、患者支持面と、患者支持器に設けられた流体移動システムと、患者支持器に取り付けられ、流体移動システムと選択的に流体連通する複数のポートと、を有する患者支持器。ポートのうちの少なくとも１つは、１つの装置に結合し、その装置がそのポートに結合されると、流体移動システムから装置に流体を給送するか、または装置を介して流体を吸引するために流体移動システムから装置に真空圧を給送するように適合される。
2010523269.tif 000002
【特許請求の範囲】
【請求項１】
患者支持器であって、
患者支持面と、
前記患者支持器に設けられる流体移動システムと、
前記流体移動システムに選択的に流体連通された、前記患者支持器に取り付けられた複数のポートであって、前記患者支持面とは異なる位置に支持され、使用者が、前記流体移動システムを移動させるための支持なしで、患者の周囲のいくつかの位置から前記流体移動システムを使用することができる、複数のポートと、
を具備し、
前記複数のポートのうちの少なくとも１つのポートが、１つの装置に結合し、前記装置が前記少なくとも１つのポートに結合されると、前記流体移動システムから前記装置に流体を給送するか、または前記装置を介して流体を吸引するために前記流体移動システムから前記装置に真空圧を給送するように適合される、患者支持器。
【請求項２】
制御システムをさらに具備し、
前記制御システムは、
前記装置が前記ポートのうちのそれぞれのポートに結合されるかまたは極めて近接するとき、前記装置を検出するセンサを有し、
前記装置の検出に応じて、前記制御システムが前記それぞれのポートにおける流体の流れを制御する、請求項１に記載の患者支持器。
【請求項３】
前記装置がタイプを有し、
前記センサが、前記装置の前記タイプを検出するように構成され、
前記センサによる前記装置のタイプの検出に基づいて、前記制御システムが前記それぞれのポートにおける流体の流れを制御する、請求項２に記載の患者支持器。
【請求項４】
前記少なくとも１つのポートが、膨張式装置、導管、空気作動式装置、アクチュエータ、人工呼吸器およびチャンバからなる群から選択される装置に結合される、請求項１〜３のいずれか一項に記載の患者支持器。
【請求項５】
前記患者支持面が枠およびマットレスを備え、前記ポートが前記枠に設けられる、請求項１に記載の患者支持器。
【請求項６】
前記流体移動システム内の前記流体を加熱または冷却する加熱または冷却装置をさらに具備する、請求項１、２、３および５のいずれか一項に記載の患者支持器。
【請求項７】
前記流体移動システム内の前記流体を加圧する圧縮機をさらに具備する、請求項１〜３および５のいずれか一項に記載の患者支持器。
【請求項８】
前記流体移動システムが、前記複数のポートと選択的に流体連通する真空ラインを有し、前記真空ラインが、それぞれのポートと流体連通すると、前記それぞれのポートにおいて吸引を提供する、請求項１に記載の患者支持器。
【請求項９】
前記流体移動システムが、前記ポートのうちの１つにおいて高圧／低容量流体を提供することにより高圧／低容量ポートを形成し、前記ポートのうちの別のものにおいて高容量／低圧を提供することにより高容量／低圧ポートを形成するように構成される、請求項１〜３、５および８のいずれか一項に記載の患者支持器。
【請求項１０】
前記流体移動システムにおける前記流体を加熱または冷却する、加熱または冷却装置をさらに具備する、請求項９に記載の患者支持器。
【請求項１１】
前記流体移動システムが、２つのポートにおいて高容量／低圧流体を提供することにより２つの高容量／低圧ポートを形成し、
前記高容量／低圧ポートのうちの一方が加熱流体を給送し、
前記高容量／低圧ポートのうちの他方が冷却流体を給送する、請求項１０に記載の患者支持器。
【請求項１２】
患者支持器であって、
患者支持面と、
前記支持器に取り付けられた流体移動システムであって、流体給送システムと、真空システムと、前記流体給送システムおよび前記真空システムと選択的に流体連通する複数のポートと、を有し、前記ポートが、前記患者支持面の周囲の異なる位置で支持され、使用者が、前記患者支持器の周囲の異なる位置で前記流体移動システムを使用することができる、流体移動システムと、
前記ポートと前記流体給送システムと前記真空システムとの間の前記選択的連通を制御する制御システムと、
を具備し、
前記ポートが、１つの装置に結合し、前記装置が前記ポートのうちのそれぞれのポートに結合されると前記装置に流体または真空圧を給送するように適合され、
前記制御システムは、前記装置が前記それぞれのポートに結合されるかまたは極めて近接するとき、前記装置を検出するように構成される、患者支持器。
【請求項１３】
前記流体移動システムが、外部流体供給システムに結合するように構成される、請求項１２に記載の患者支持器。
【請求項１４】
前記流体移動システムが、外部真空システムに結合するように構成される、請求項１２または１３に記載の患者支持器。
【請求項１５】
前記装置の検出に基づいて、前記制御システムが前記それぞれのポートにおける前記流体の圧力を選択的に調整する、請求項１４に記載の患者支持器。
【請求項１６】
前記ポートのうちの少なくとも１つが、膨張式装置、導管、空気作動式装置、アクチュエータ、人工呼吸器およびチャンバからなる群から選択される装置に結合するように適合される、請求項１２または１３に記載の患者支持器。
【請求項１７】
前記流体給送システムが治療流体供給源を含む、請求項１２に記載の患者支持器。
【請求項１８】
前記治療流体供給源からの前記治療流体を霧化する噴霧器をさらに具備する、請求項１７に記載の患者支持器。
【請求項１９】
前記患者支持面が膨張式ブラダを有し、
前記複数のポートのうちの選択されたポートが、前記ブラダと選択的に流体連通し、
前記制御システムが、前記選択されたポートを介して前記流体移動システムを前記膨張式ブラダに選択的に結合する、請求項１２に記載の患者支持器。
【請求項２０】
枠および患者支持面を有する患者支持器において装置を動作させる方法であって、
前記患者支持器に流体導管を備えた流体移動システムを提供するステップと、
前記患者支持器に複数のポートを提供するステップと、
前記複数のポートのうちのそれぞれのポートを、１つの装置に結合しかつそれと流体連通するように適合させるステップと、
前記流体導管を通る流体の流れを制御するステップと、
前記流体導管と前記それぞれのポートとの間に流体連通を選択的に提供するステップであって、装置が、前記それぞれのポートに結合されると、前記流体移動システムと流体連通する、ステップと、
を含む、方法。
【請求項２１】
装置が、前記ポートのうちのそれぞれのポートに結合されるかまたは極めて近接するとき、前記装置の存在を検出するステップと、
前記装置の存在の検出に応じて、前記ポートを開放し、前記装置と前記流体移動システムとの間の流体連通を可能にするステップと、
をさらに含む、請求項２０に記載の方法。
【請求項２２】
前記装置のタイプに基づいて、前記それぞれのポートにおける圧力を調整するステップをさらに含む、請求項２１に記載の方法。
【発明の詳細な説明】
【技術分野】
【０００１】
関連出願の相互参照
本出願は、２００８年３月２８日に出願された、出願人マーティン・ストライカー（Martin Stryker）、ケヴィン・コンウェイ（Kevin Conway）およびスコット・デーヴィス（Scott Davis）による「汎用エネルギー供給システムを備えた患者支持器（PATIENT SUPPORT WITH UNIVERSAL ENERGY SUPPLY SYSTEM）」と題する米国特許出願第１２／０５７，９４１号明細書の利益を主張し、２００７年４月１３日に出願された、出願人マーティン・ストライカー（Martin Stryker）、ケヴィン・コンウェイ（Kevin Conway）およびスコット・デーヴィス（Scott Davis）による「汎用エネルギー供給源（UNIVERSAL ENERGY SUPPLY）」と題する米国仮特許出願第６０／９２３，５０１号明細書の利益を主張し、２００７年８月２９日に出願された、出願人マーティン・ストライカー（Martin Stryker）、ケヴィン・コンウェイ（Kevin Conway）およびスコット・デーヴィス（Scott Davis）による「汎用エネルギー供給源（UNIVERSAL ENERGY SUPPLY）」と題する米国仮特許出願第６０／９６８，７８０号明細書の利益を主張し、これらの出願は開示内容がすべて参照により本明細書に援用される。
【背景技術】
【０００２】
本発明は、患者支持器に関し、特に、患者の治療またはケアのために患者支持器の１つまたは複数の装置にエネルギーまたは治療流体を給送する汎用エネルギー供給システムを組み込んだ、患者支持器に関する。
【発明の概要】
【課題を解決するための手段】
【０００３】
本発明によれば、患者支持器は、患者支持面と、患者支持器に設けられた流体移動システムと、複数のポートと、を有しており、ポートは、患者支持器において、流体移動システムと選択的に流体連通するように設けられている。ポートのうちの少なくとも１つは、１つの装置に結合し、その装置がその少なくとも１つのポートに結合されると、装置に流体を給送するかまたは装置から流体を吸引するように適合されている。
【０００４】
本発明の別の形態では、患者支持器は、患者支持面と患者支持器に設けられたエネルギー供給システムとを有している。エネルギー供給システムは、制御システムおよび流体移動システムと、さらに、流体移動システムと選択的に流体連通する複数のポートと、を有している。制御システムは、流体移動システムを通してポートへのまたはポートからの流体の流れを制御する。ポートのうちの少なくとも１つは、１つの装置に結合し、その装置がその少なくとも１つのポートに結合されると、装置にまたは装置から流体を移動させるように適合されている。
【０００５】
これら患者支持器のいずれにおいても、患者支持器は、ポートのうちの１つに極めて近接するかまたはそれに結合される装置を検出するように構成される。たとえば、患者支持器を、装置のタイプまたは装置に関する情報を検出するように構成することができる。好適な流体には、治療流体を含む、空気もしくは他の気体または液体、たとえば水または処理液がある。用途によっては、流体は薬物を含むことができる。
【０００６】
患者支持器のいずれかの別の態様では、ポートは、膨張式装置、導管、空気作動式装置、アクチュエータ、人工呼吸器およびチャンバ等の装置に結合される。たとえば、膨張式装置には、膨張式チャンバ、膨張式サイドレール、膨張式カフ、膨張式バッグ、または膨張式マットレスまたはパッドがあり得る。膨張式マットレスまたはパッドには、床ずれを防止するため、呼吸器治療を提供するため、褥瘡の発症を抑制するため等、患者に振動または衝撃治療を施す、患者を体位交換するように構成された膨張式マットレスまたはパッドがある。
【０００７】
さらなる態様では、患者支持面は各々、枠およびマットレスを有することができ、ポートは枠に設けられる。さらに、ポートは、患者支持器の周囲に間隔を空けた位置に設けられ、それにより、介護者がベッドのいずれの側またはいずれの端からも流体移動システムを利用することができる。
【０００８】
さらなる態様によれば、患者支持器は、任意に、流体移動システムにおける流体を加熱または冷却する加熱または冷却装置を有する。
【０００９】
他の態様では、患者支持器は、流体移動システムにおける流体を加圧する圧縮機を有することができ、それにより流体移動システムは加圧流体を給送することができる。任意に、流体移動システムは、１つまたは複数のポートにおいて高圧／低容量流体を提供し、１つまたは複数の他のポートにおいて高容量／低圧流体を提供することができる。
【００１０】
さらに、流体移動システムは、ポートと選択的に流体連通する真空ラインを有することができ、真空ラインは、それぞれのポートと流体連通すると、そのそれぞれのポートにおいて吸引を提供する。
【００１１】
本発明のさらに別の形態では、患者支持器は、患者支持面と支持器に設けられた流体移動システムとを有し、流体移動システムは、流体給送システムと、真空システムと、流体給送システムおよび真空システムと選択的に流体連通する複数のポートと、を有する。ポートのうちの少なくとも１つは、１つの装置に結合し、その装置がその少なくとも１つのポートに結合されると装置に流体または真空圧を給送するように適合される。
【００１２】
一態様では、流体移動システムは外部流体供給源に結合するように構成される。任意に、患者支持器に搭載型流体供給源が設けられ、それにより、制御システムが、外部流体供給源または搭載型流体供給源のいずれかから流体を給送することができる。さらに、流体移動システムを、外部真空源に結合するように構成することができる。この場合もまた、患者支持器は、任意に、搭載型真空源を有することができる。このように、患者支持器は、外部真空源または流体供給源に結合されてもされなくても、患者の継続的なケアを提供することができる。
【００１３】
一態様では、支持器は、装置のタイプを検出するように構成される制御システムを有する。たとえば、ポートにＲＦＩＤリーダ等のセンサを設けることができる。ＲＦＩＤリーダは、エネルギー供給システムに結合される装置に関連付けられたＲＦＩＤタグを検出する。ＲＦＩＤタグは、装置を識別しかつ／または装置に関する情報を提供する。さらに、制御システムは、ＲＦＩＤリーダが受け取る情報に基づいて装置に適応するように、流体移動システムにおける流体の圧力を制御するように構成される。このように、患者支持器は、患者支持器に結合される装置に適応するようにそのエネルギー供給システムを適合させることができる。
【００１４】
他の態様では、少なくとも１つのポートは、膨張式装置、導管、アクチュエータもしくは器具等の空気作動式装置、人工呼吸器またはチャンバ等の装置に結合される。
【００１５】
別の態様では、患者支持面は枠およびマットレスを備え、ポートは枠に設けられる。
【００１６】
さらに別の実施形態によれば、患者支持器は、患者支持器が選択的に膨張させることができる膨張式装置を有する。たとえば、膨張式装置は、チャンバ、カフ、創傷カバー、患者昇降移送装置、マットレスまたは枕等を含むことができる。
【００１７】
一態様では、患者支持器は、膨張式装置の補給品を格納する仕切りまたはハウジングを組み込むことができる。たとえば、仕切りまたはハウジングを、患者支持器の患者支持面の真下、たとえば患者支持面を支持する枠の真下か、または、フットボード板、ヘッドボードまたはサイドレールの一方に取り付けることができる。
【００１８】
本発明の別の形態では、患者支持器は治療チャンバに結合され、治療チャンバは、格納位置から、患者を治療することができる配備位置まで移動するように構成される。
【００１９】
本発明のエネルギー供給システムを用いて、種々の装置またはシステムにエネルギーを供給することができることが理解されるべきである。それらには、たとえば、ＤＶＴ装置、空気膨張式マットレスまたは枕、空気膨張式サイドレール、入浴または不測の排尿後に患者を乾かすために温度制御された空気を給送するホース、空気作動式血圧測定カフ、快適さまたは他の理由（たとえば褥瘡ケア）のために身体のさまざまな部位（たとえば足）をマッサージする、一体型または外部装置を含む、空気作動式マッサージ装置、戦闘機等における、尿収集用の吸引ホース、回転のための空気膨張体、患者の落下を低減する「エアバッグ」型システム、吸引作動式創傷ドレナージ装置、創傷の灌注用装置、吸引作動式排液装置、他の目的に対する空気駆動式機器（空気圧器具、空気作動式ポンプ等）、他動運動訓練（たとえばギャッチ）アクチュエータ、ろ過され圧力制御された空気が完備した患者の人工呼吸器、患者の運動検知システム、空気チャンバ、区画された患者離床システム、空気膨張式ファウラー装置等の身体昇降装置、創傷ケアを行えるようにする（たとえば床ずれ）空気膨張式分割式身体昇降装置（回転）、Ｘ線フィルム挿入のために昇降を可能にする空気マットレスシステム、空気作動式蠕動患者移送／再配置（持ち上げる）システム、空気充填重力補助（傾斜）患者移送支援装置、ろ過空気取入口／排出口を備えた生物学的危険物質隔離チャンバ等の用途のための膨張式患者チャンバ、治療気体用チャンバ、治癒を促進するための高濃度酸素送達用膨張式患者チャンバ（高圧チャンバ）、ビーズ充填患者固定化装置、小型の使い捨て流体容器、空気浮上患者移送を行うことができる空気充填パッド（エアホッケー）、（参照により開示内容がすべて本明細書に援用される、２００７年８月１４日に出願された、「薬物送達システム（DRUG DELIVERY SYSTEM）」と題する米国仮特許出願第６０／９５５，７３５号明細書（代理人整理番号ＳＴＲ０３Ｎ  Ｐ−２１５）に開示されているような）高酸素含有空気等の治療気体、または霧化薬物もしくは他の治療薬等の他の有益な物質を、治癒を促進するために送達する空気充填パッド、患者を暖めるかまたは冷やすために温度制御された空気を用いる空気充填パッド、褥瘡を防止するかもしくは治療するため、身体温度制御または単に快適さのために、患者に向かって温度制御された（高温／低温）空気が漏出する空気充填パッド、清拭のため、化学除染のため、または他の専門治療のための膨張式浴槽システム、および小型／使い捨て流体収納容器がある。
【００２０】
したがって、本発明は、患者支持器に対し、患者の状態または患者支持器の位置に関わらず患者に対して継続的なケアを提供するために、種々の装置に動力を供給しまたは通電するか、装置にまたは患者に流体を給送することができる汎用的な適用を提供する。
【００２１】
本発明のこれらおよび他の目的、利点、用途および特徴は、図面とともに以下の説明を検討することによってより明確になろう。
【００２２】
詳細な説明は、特に添付図面を参照する。
【図面の簡単な説明】
【００２３】
【図１】本発明の汎用エネルギー供給システムを組み込んだ病院ベッドの形態の患者支持器の斜視図である。
【図２】図１の患者支持器の第２斜視図である。
【図３】明確にするために患者支持面を取り除いた、汎用エネルギー供給システムを示す、図１および図２の患者支持器の斜視図である。
【図４】図３の汎用エネルギー供給システムの斜視図である。
【図５】図４のエネルギー供給システムの別の斜視図である。
【図６】図１の患者支持器の第２底面斜視図、及び汎用エネルギー供給システムの加熱および冷却部を示す、第２底面斜視図の拡大部分斜視図である。
【図７】図１の患者支持器の第２底面斜視図、及び汎用エネルギー供給システムの加熱および冷却部を示す、第２底面斜視図の拡大部分斜視図である。
【図８Ａ】本発明の汎用エネルギー供給システムの概略図である。
【図８Ｂ】本発明の汎用エネルギー供給システムの制御システムの概略図である。
【図９】本発明の流体移動システムを備えた手術台の斜視図である。
【図１０】仕切りまたはテント等の膨張式装置を組み込んだ患者支持器の概略斜視図である。
【図１１】使い捨て高圧装置、膨張式真空補助閉鎖装置、使い捨て患者移送パレットまたは薬物送達装置等、使い捨て膨張式装置を保持する仕切りまたはハウジングを組み込んだ、本発明の患者支持器の斜視図である。
【図１２】使い捨て高圧装置の一実施形態の斜視図である。
【図１３】使い捨て高圧装置の別の実施形態の斜視図である。
【図１４】患者支持器に取り付けられたチャンバを組み込んだ本発明の患者支持器の概略斜視図である。
【図１５】未配備位置にあるチャンバを示す図１４に類似する図である。
【図１６】配備位置と格納位置との間で移動可能な可動チャンバを組み込んだ、本発明の患者支持器の別の概略図である。
【図１７】患者支持器に組み込まれた第２チャンバを示す、図１６の患者支持器の端立面図である。
【図１８】ベッドのフットボードに組み込まれたチャンバを組み込んだ、本発明の患者支持器の部分斜視図である。
【図１９】配備位置にあるチャンバを示す。
【図２０】チャンバ内に除染を提供する１つまたは複数の装置を組み込んだ、本発明のチャンバを示す。
【図２１】膨張式チャンバを補強するために用いることができるハウジングの斜視図である。
【図２２】ハウジングを形成するブランクの斜視図である。
【図２３】本発明の患者支持器と用いることができる携帯型チャンバの斜視図である。
【図２４】携帯型チャンバのうちの２つによって治療されている、患者支持器上の患者を示す、患者支持器の斜視図である。
【図２５】患者を体位交換するのを支援するために用いることができる昇降装置の概略図である。
【図２６】部分的に伸張した位置にある昇降装置を示す、図２５に類似する図である。
【図２７】完全に伸張した位置にある昇降装置を示す、図２５および図２６に類似する図である。
【図２８】患者を体位交換するために用いることができる昇降装置を備える枠を組み込んだ、本発明の患者支持器の斜視図である。
【発明を実施するための形態】
【００２４】
図１を参照すると、数字１０は、全体として、本発明の患者支持器を示している。以下により完全に説明するように、患者支持器１０は、汎用エネルギー供給システム１２を組み込んでいる。それは、患者支持器に設けられている複数の別個の位置に流体または真空圧を給送し、それにより、患者支持器において流体または真空によって、さまざまな装置に対し動力を供給し、それらを作動させ、導管として使用する等が可能になり、または患者を治療するかもしくは患者に対処するために流体または真空を提供することが可能になる。さらに、汎用エネルギーシステム１２は、高圧／低容量流体または高容量／低圧流体、さらには加温または冷却流体を提供することができる。真空または流体供給源は、患者支持器の外部であってもよく、その場合、エネルギー供給システムは、単に、流体または真空圧に対する導管および制御システムとして作用する。あるいは、またはさらに、汎用エネルギー供給源１２は、それ自体の真空圧または流体供給源を有していてもよい。それは、内蔵エネルギー供給システムを提供するように患者支持器に設けられ、それにより、患者支持器によって支持される患者が、患者支持器が流体または真空の外部供給源から切り離されている場合であっても、継続的なケアを受けることができる。さらに、本システムの電動部品を、患者支持面の真下にまたは患者支持面の下側に配置することができ、その際、たとえばいくつかを患者支持器の基部に配置し、一方で、ポートを患者支持面に配置することができ、それにより、電力に関連する付随的な危険なしに動力が供給される。さらに、したがって、汎用エネルギーシステムは、後に機械または空気エネルギー等の別の形態のエネルギーに変換されることが可能な一形態で、エネルギーを提供することができる。
【００２５】
図示する実施形態では、患者支持器１０はベッドを構成しているが、たとえばストレッチャー、コット、手術台、治療用リクライニングチェア等の椅子、理学療法テーブル、車椅子等を含む、他の患者支持器を構成してもよい、ということが理解されるべきである。説明を容易にするために、以下の説明はベッドに関して行うが、本発明はそのように限定されないことが理解されるべきである。さらに、本発明を、病院ベッド、長期療養施設ケアベッドまたは家庭のベッドを含む、異なるタイプのベッドに組み込むことができる。
【００２６】
図１および図２に最もよく示すように、患者支持器１０は、基部１６に取り付けられる支持面１４を有している。図示する実施形態では、基部は、複数のキャスタに支持される車輪付き基部であるが、患者支持器は、たとえば手術室（OR）台の場合、固定基部を有していてもよいということが理解されるべきである。支持面１４が、連接デッキ２０を有しており、それは、中間枠２２によって支持される足部２０ａ、座部２０ｂおよび頭部２０ｃを有している。支持面１４はさらにマットレス２３を有しており、それは、フォームマットレスかまたはブラダを備えたマットレスかまたはそれら両方の組合せを含むことができる。デッキに支持され得る好適なマットレスの例として、米国特許第５，１７９，１４２号明細書および２００８年２月１５日に出願された、「患者支持装置で用いられる可動サイドレール装置（MOVEABLE SIDERAIL APPARATUS FOR USE WITH A PATIENT SUPPORT APPARATUS）」と題する同時係属米国特許出願第１２／０６３，９７０号明細書（代理人整理番号ＳＴＲ０３Ａ  Ｐ−１６４Ａ）、２００７年１１月１５日に出願された、「体位交換補助を備えた患者支持面（PATIENT SUPPORT SURFACE WITH TURN-ASSIST）」と題する同第１１／９４０，９９５号明細書（代理人整理番号ＳＴＲ０３Ａ  Ｐ−１０５Ａ）、２００７年１１月１４日に出願された、「体位交換補助を備えた患者支持面（PATIENT SUPPORT SURFACE WITH TURN-ASSIST）」と題する同第１１／９３９，８２９号明細書（代理人整理番号ＳＴＲ０３Ａ  Ｐ−１０５Ｂ）、および２００６年５月４日に出願された、「共振基準衝撃装置を備えた振動式患者支持装置（VIBRATING PATIENT SUPPORT APPARATUS WITH A RESONANT REFERENCING PERCUSSION DEVICE）」と題する同第１１／３８１，６３１号明細書（代理人整理番号ＳＴＲ０３Ａ  Ｐ−１６６Ａ）を参照されたい。これらは、ミシガン州カラマズーのストライカー・コーポレイション（Stryker Corporation（Kalamazoo, MI））によって権利が共有されており、開示内容がすべて参照により本明細書に援用される。さらに、出産用ベッドの場合、好適なマットレスは、２００７年３月２８日に出願された、「出産用ベッドおよびそのための患者横臥面（MATERNITY BED AND PATIENT LYING SURFACE THEREFOR）」と題する米国仮特許出願第６０／９２０，３８１号明細書（代理人整理番号ＳＴＲ０３Ｂ  Ｐ−１６５）に記載されているマットレスを含むことができ、上記出願は、ミシガン州カラマズーのストライカー・コーポレイション（Stryker Corporation（Kalamazoo, MI））によって権利が共有されており、開示内容がすべて参照により本明細書に援用される。
【００２７】
中間枠２２は、一対の昇降機構２４によって基部１６に移動可能に取り付けられており、それにより、要求に応じて支持面を上昇させるか下降させることができる。枠に対して好適な昇降装置は、米国特許第５，１７２，４４２号明細書、同第６，８２０，２９４号明細書および同第７，１５０，０５６号明細書に開示されているような、ねじリフトまたは油圧ジャックもしくはシリンダを含む、機械式昇降装置を含む。上記特許は、ミシガン州カラマズーのストライカー・コーポレイション（Stryker Corporation（Kalamazoo, MI））によって権利が共有されており、開示内容がすべて参照により本明細書に援用される。さらに、頭デッキ部および足デッキ部を、以下の出願に開示されているようなアクチュエータを用いて上昇または下降させることができる。すなわち、２００６年１２月１８日に出願された、「病院ベッド（HOSPITAL BED）」と題する、同時係属米国特許出願第１１／６１２，４２８号明細書（代理人整理番号ＳＴＲ０３Ａ  Ｐ−１０２Ａ）、２００６年１２月１８日に出願された、「病院ベッド（HOSPITAL BED）」と題する、同第１１／６１２，４０５号明細書（代理人整理番号ＳＴＲ０３Ａ  Ｐ−１０２Ｂ）、２００６年１２月１９日に出願された、「病院ベッド（HOSPITAL BED）」と題する、同第１１／６４２，０４７号明細書（代理人整理番号ＳＴＲ０３Ａ  Ｐ−１０２Ｃ）および２００６年１２月１８日に出願された、「病院ベッド（HOSPITAL BED）」と題する、同第１１／６１２，３６１号明細書（代理人整理番号ＳＴＲ０３Ａ  Ｐ−１０２Ｄ）であり、それらはすべてミシガン州カラマズーのストライカー・コーポレイション（Stryker Corporation（Kalamazoo, MI））によって権利が共有されており、開示内容がすべて参照により本明細書に援用される。上述したように、エネルギー供給システム１２を、固定基部とともに固定患者面を有する患者支持器に組み込むことができる、ということが理解されるべきである。
【００２８】
再び図１および図２を参照すると、エネルギー供給システム１２は、複数のポート２６、２８ａ、２８ｂ、２８ｃおよび２８ｄを有し、１つまたは複数のポートにおいて流体または真空圧を提供する。ポート２６、２８ａ、２８ｂ、２８ｃおよび２８ｄは、患者支持器１０の４つの隅またはその近く等に、患者支持器１０の別個の位置に取り付けられている。このように、ポートは、患者支持面の周囲の間隔が空けられた場所に設けられ、それにより、介護者または患者等の使用者は、患者支持器のいずれの側またはいずれの端からもエネルギー供給システムを利用することができる。さらに、流体給送のためにかつ真空圧のために別個のポートを提供するように、各場所に複数のポートを設けることができることが理解されるべきである。
【００２９】
ポート２６、２８ａ、２８ｂ、２８ｃおよび２８ｄは、さまざまな装置に結合するように適合されており、それらの装置は、流体または真空によって動力が供給されるかもしくは作動されるか、または、流体または真空を、患者および／または患者支持面を含むベッド上の別の場所に給送するために、流体または真空用の導管を提供する。たとえば、後に、より十分に説明するように、可撓性ホース等の導管を、ポートのうちのいずれか１つに結合することにより、流体または真空を、ノズル、ＤＶＴ装置、創傷のデブリードマンに用いられる、洗浄装置等の灌注器具等の別の装置に、またはマットレス等に給送することができる。
【００３０】
図３〜図７を参照すると、エネルギー供給システム１２は、流体移動システム３０および制御システム３２（図８Ｂ）を有している。制御システム３２は、流体移動システム３０を通して流体移動を、さらにそれぞれのポートにおいて流体移動を制御する。流体移動システム３０は、配管または導管３０ａを有しており、それは、流体供給源（搭載型供給源または外部供給源または両方）と流体連通し、かつそれぞれのポート２６、２８ａ、２８ｂ、２８ｃおよび２８ｄと選択的に流体連通して、流体または真空圧をそれぞれのポートに選択的に給送する。図示する実施形態では、配管３０ａは、３カニューレ管を備え、３つの導管またはライン、すなわち圧力ライン（３８）、膨張／収縮ライン（４０）および真空ライン（５２）（図８Ａ）を提供する。第４導管またはラインを設けることにより、液体または霧状液体等の治療流体をポートのうちのいずれか１つまたはすべてのポートに給送して、治療流体が装置または患者に給送され得るようにすることも可能であり、これについても、後に、より十分に説明する。各ラインに対して別個の管を走らせることができ、さらに、追加のラインまたはカニューレを設けることにより、たとえば、上述したように治療流体または気体ライン、たとえば酸素ラインを含む、気体ライン等の追加の導管を提供することも可能であることが理解されるべきであり、それについては、後に、より十分に説明する。
【００３１】
図３に最もよく示すように、配管３０ａが患者支持器を通して走っており、さまざまな箇所において、たとえば基部１６において支持され、さらにそれぞれの昇降アセンブリ２４内に延在し、その後それぞれのポート２８ａ〜２８ｄおよび２６まで延在する。患者面の基部に対する垂直移動に適応するために、配管３０ａは複数のコイル状部分３０ｂを有することができ、それらは、患者支持面の基部１６に対して任意の高さ調整をすることができるので、配管の上部部分に対する配管の下部部分の相対移動に対応する。
【００３２】
図示する実施形態では、流体移動システム３０は、高圧／低容量または高容量／低圧を含む、流体給送システムとして、かつ／または真空システムとして動作することができる。本明細書で使用する「流体」という用語は、液体および／または空気等の気体を含み、治療気体、たとえば酸素またはその混合物等の気体を含むことができ、それについては、後に、より十分に説明する。たとえば、図示する実施形態では、ポート２８ａ〜２８ｄを、高圧／低容量流体または真空圧を給送するように構成することができ、ポート２６を、低容量／高圧流体を給送するように構成することができる。
【００３３】
再び図３を参照すると、流体移動システム３０は、任意に圧縮機／真空ポンプ３４を有しており、それは、加圧空気を圧力アキュムレータ（蓄圧器）３６に給送する。圧縮機／真空ポンプは、上述したように搭載型であってもよく、または加圧空気（または後述するように真空）を圧力アキュムレータ３６に給送する、外部圧縮機／真空ポンプを含んでもよい。圧力アキュムレータ３６は、圧力ライン３８および膨張／収縮ライン４０と流体連通しており、それらはそれぞれのポート２８ａ〜２８ｄとそれぞれ流体連通している。ライン３８および４０を通る流体の流れは、それぞれ圧力調整器３８ａおよび４０ａによって制御されかつ調整され、圧力調整器３８ａおよび４０ａもまた、制御システム３２に制御される。さらに、圧力調整器またはタンク３６は、逆止弁４４を介して壁供給圧力（a wall supply pressure）に結合する導管またはライン４２を有している。上述したように、圧縮機は、患者支持器の外部であってもよく、壁供給圧力に結合されていてもよい。
【００３４】
圧縮機／真空ポンプ３４は、逆止弁４６を介して圧力アキュムレータ３６と流体連通しており、導管またはライン４９を介してかつ逆止弁５０を介して、第２タンクすなわち真空アキュムレータ４８とも流体連通している。タンク４８は、真空ライン５２と流体連通しており、真空ライン５２は、それぞれのポート２８ａ〜２８ｄと選択的に流体連通して、それぞれのポートにおいて真空圧を提供し、それにより、真空圧をそれぞれのポートにおいて選択的に提供することができる。この場合もまた、上述したように、圧縮機／真空ポンプは搭載型であってもよく、または患者支持器の外部であってもよい。
【００３５】
さらに、真空アキュムレータ４８は、任意に外部真空ライン５４を有しており、それは、逆止弁５６を介して壁供給真空（a wall supply vacuum）と流体連通している。このように、流体給送システムおよび真空システムをともに、ベッドの外部の供給源に結合することができ、それにより、たとえば患者支持器１０が病室にある時、エネルギー供給システムを、たとえば壁圧力供給源（a wall pressure supply）または壁真空供給源（a wall vacuum supply）に接続することができる。後に、より十分に説明するように、搭載型流体供給源（タンク３６）に加えて、患者支持器は、搭載型真空発生器を組み込むことも可能である。
【００３６】
上述したように、真空圧を、壁真空供給源または搭載型供給源によって供給することができる。図８に最もよく示すように、真空アキュムレータ４８は、ライン５９および逆止弁５９ａを介してベンチュリ真空発生器５８と流体連通することができる。真空発生器５８は、タンク３６から延在する排出ライン６０によって生成されるベンチュリ効果を用いて真空圧を生成する。このように、患者支持器１０は、一般に病室で見られる壁真空供給源等、外部真空供給源にアクセスすることができない場合、移動中であるかまたは外部供給源の近くに位置してない可能性があっても、依然として患者に継続したケアを提供するために必要な真空圧を提供することができる。
【００３７】
したがって、理解されるように、ポート２８ａ〜２８ｄは、負圧流体（真空圧等）の形態かまたは正（高または低）圧流体の形態で、流体を提供することができ、上述したように、それを用いて、患者支持器１０において支持されている患者のケア、対処、治療または監視のために、患者支持器の１つまたは複数の装置に動力を供給することができる。さらに、流体移動システム３０のそれぞれのラインにおける圧力を制御するために、制御システム３２は、センサ、たとえば圧力トランスデューサＴを有しており、それは、タンク３６、４８に、ライン３８、４０および５２に、また供給タンク９０およびライン９２に（図８）等、さまざまな場所に設けることができる。センサ（Ｔ）は制御システム３２のコントローラ８０と通信し、制御システム３２は、さまざまな場所の圧力を監視することにより、システム３２に対する圧力フィードバックを提供する。
【００３８】
さらに、エネルギー供給システム１２は、流体移動システム３０内の流体を加熱するかまたは冷却する加熱および／または冷却装置７０を組み込むことができる。図示する実施形態では、流体は、圧縮機３４から導管７２を通って送風機７４まで給送され、送風機７４は流体を加熱および／または冷却装置７０内で循環させ、加熱および／または冷却装置７０は流体を加熱するかまたは冷却する。流体移動システムのこの部分では、導管は、径が増大していることにより、流体に対する熱の伝達を容易にし、これが、高容量／低圧流体供給源を形成する。温流体または冷流体のこの低圧／高容量供給源にアクセスするために、枠２２にポート２６が設けられ、温ラインおよび冷ラインそれぞれに結合されかつ流体連通しており、それらのラインもまた、患者支持器のさまざまな装置に対して接続を提供する。送風機も同様に、患者支持器の外部に設けることができる、ということが留意されるべきである。
【００３９】
図６および図７に最もよく示すように、送風機７４ならびに加熱および／または冷却装置７０を、患者支持面１４の真下に支持することができ、図３から最もよく理解されるように、圧縮機／真空ポンプ３４、圧力アキュムレータ３６ならびに圧力調整器３８ａおよび４０aはすべて、基部１６において支持されている。このため、高電圧部品は、患者支持面の真下または下方に位置している。エネルギー供給システムの電気部品は、１１０ボルト電源、たとえば従来のコンセントから電力が供給されるように構成されるが、充電式電池を含む電池等のベッド電源から、さらに２００６年１２月１８日に出願された、同時係属出願、米国特許出願第１１／６１２，４２８号明細書（代理人整理番号ＳＴＲ０３Ａ  Ｐ−１０２Ａ）に開示されているようなトロイドを用いて、電力が供給されることも可能である。したがって理解されるように、エネルギーシステムは電気によって動力が供給されるが、患者支持面に提供される動力は、非電気形態であってもよく、これにより、依然として動力を提供しながら、患者を電気接触に晒す危険が低減する。
【００４０】
それぞれのポートに結合することができる装置には、空気膨張式ファウラー、患者を回転させて創傷の手当てができるようにする空気膨張式分割身体昇降装置、Ｘ線フィルム挿入のために昇降を可能にする空気マットレスシステム、患者の移送を補助する空気充填重力補助傾斜台、ろ過空気取入口／排出口を備えた生物学的危険物質隔離チャンバとして用いることができる膨張式患者チャンバ、創傷を治療するか、または単に、皮膚または傷口等の組織を通して局所的に薬剤または薬物を投与するか、治療気体（高圧チャンバにおけるように、治癒を促進するための高濃度酸素等）または真空または薬物等の他の有益な物質を患者に施すための、膨張式患者チャンバ、空気浮上患者移送装置を作成するための空気充填パッド、治癒を促進するために、（高圧チャンバのように）治療気体、たとえば酸素または他の有益な物質または真空を給送しまたは施すことにより創傷または他の状態を治療するために用いることができる空気充填パッド、患者を暖めるかまたは冷やすために温度制御された空気を用いる空気充填パッド、空気作動式カフ、褥瘡を防止するかもしくは治療するため、身体温度制御または単に快適さのために患者に温度制御された空気が漏出する空気充填パッド、清拭のため、化学除染のためまたは他の専門治療のための空気膨張式浴槽システム、洗浄装置による等、患者の創傷を清浄にするために用いられる膨張式チャンバ、または空気膨張式サイドレール等がある。
【００４１】
上述したように、本発明のエネルギーシステムを用いて、供給空気の形態で患者面に動力を供給することができる。たとえば、エネルギー支持システム１２は、連続弁システムに、またはＤＶＴ装置等、面を連続的に膨張または収縮させる圧力マッピングフィードバックシステムに、加圧空気を供給することができる。さらに、これを、手動で行うことも自動的に行うことも可能である。上述したように、患者面は、複数区分マットレスを備え、かつ／または、米国特許第５，１７９，１４２号明細書および２００８年２月１５日に出願された、「患者支持装置で使用される可動サイドレール装置（MOVEABLE SIDERAIL APPARATUS FOR USE WITH A PATIENT SUPPORT APPARATUS）」と題する同時係属米国特許出願第１２／０６３，９７０号明細書（代理人整理番号ＳＴＲ０３Ａ  Ｐ−１６４Ａ）、２００７年１１月１５日に出願された、「体位交換補助を備える患者支持面（A PATIENT SUPPORT SURFACE WITH TURN-ASSIST）」と題する、同第１１／９４０，９９５号明細書（代理人整理番号ＳＴＲ０３Ａ  Ｐ−１０５Ａ）、２００７年１１月１４日に出願された、「体位交換補助を備える患者支持面（A PATIENT SUPPORT SURFACE WITH TURN-ASSIST）」と題する、同第１１／９３９，８２９号明細書（代理人整理番号ＳＴＲ０３Ａ  Ｐ−１０５Ｂ）、２００６年５月４日に出願された、「共振基準衝撃装置を備えた振動式患者支持装置（VIBRATING PATIENT SUPPORT APPARATUS WITH A RESONANT REFERENCING PERCUSSION DEVICE）」と題する同第１１／３８１，６３１号明細書（代理人整理番号ＳＴＲ０３Ａ  Ｐ−１６６Ａ）および米国特許第５，３２５，５５１号明細書に開示されているように、患者を体位交換するため、床ずれを防止するために振動／衝撃治療を施すため、呼吸治療を提供するため、褥瘡の発症を抑えるため、または米国特許第５，２５１，３４７号明細書に開示されているように、表面に組み込まれている患者加温装置に暖かさを供給するために等、１つまたは複数の膨張式ブラダを有することができる。上記特許および特許出願は、すべてミシガン州カラマズーのストライカー・コーポレイション（Stryker Corporation（Kalamazoo, MI））によって権利が共有されており、開示内容がすべて参照により本明細書に援用される。
【００４２】
たとえば、エネルギー供給システム１２を用いて、上述した振動／衝撃治療面における説明した膨張式ブラダに空気を供給する場合、高容量／低圧空気または高圧／低容量を面に向けることができる。したがって、高圧／低容量空気が供給される場合、エネルギー供給システム１２によって十分な空気圧が、それをそれぞれのブラダに給送するマニホルドに供給されるならば、参照した特許および特許出願に記載されているポンプをなくすことができる。同様に、十分な空気圧を供給することができるならば、米国特許第５，３２５，５５１号明細書におけるポンプもなくすことができる。患者加熱装置に関して、エネルギー供給システム１２によってたとえばポート２６を介して提供される空気流・温度制御が十分である場合、送風機および／または加熱器をなくすことができる。
【００４３】
上述したように、エネルギー供給システム１２を、薬物を含む流体等、治療流体を供給するように構成することも可能である。「薬物」という用語は、鎮静剤またはステロイド等、鎮痛剤を含む医薬、アンドロゲンおよびエストロゲン、インシュリン等のペプチドホルモン、ならびにステロイドホルモン等の運動能力向上剤等のホルモン、ｂｍｐ−２およびｂｍｐ−７等の形態形成たんぱく質を含むたんぱく質、栄養剤、たとえばテトラサイクリン、ペニシリン、アモキシシリン、エリトロマイシン等の抗生物質、漢方薬、ビタミンまたは他の治療薬を含むように広く用いられていることが理解されるべきである。さらに、「（１つの）薬物」または「（複数の）薬物」という用語を用いる場合、これはまた、薬物の送達を支援するとともに薬物の浸透または効力を強化するように薬物に追加することができる、溶剤または賦形剤等の任意の担体も含むことが理解されるべきである。局所パッドまたはチャンバを用いて薬物をいかに送達しかつ施すことができるかのさらなる詳細については、参照により開示内容がすべて本明細書に援用される、２００７年８月１４日に出願された、「薬物送達システム（DRUG DELIVERY SYSTEM）」と題する同時係属特許出願第６０／９５５，７３５号明細補を参照されたい。
【００４４】
ポートに取り付けるかまたは結合することができる他の装置には、導管等の給送機構か、または空気駆動式器具または空気作動式ポンプ等の空気駆動式機器がある。たとえば、エネルギー供給システム１２によって供給される高圧／低容量空気を用いて、器具等の空気駆動式装置のインペラを駆動するか、またはピストン駆動式装置を駆動し、それによって装置に動力を供給することができる。このように、エネルギー供給システム１２からのエネルギーは、機械エネルギーに変換される。これら装置を、ポートに直接結合することができ、または導管を介してポートに結合することができる。導管をポートに結合して、流体または真空圧を別の装置に給送するか、もしくは単に、流体または真空を、洗浄装置を含む、ノズル等の塗布具に向けるか、または流体または真空を治療またはケアのために患者に直接向けることができる。たとえば、治療液体または気体（抗菌特性または細胞再生特性を有する液体または気体を含む、薬剤または薬物を含む液体または気体等）を、導管を用いて患者に向けることができる。他の用途には、尿収集用の吸引ホース、入浴または不測の排尿後に患者を乾かすために温度制御された空気を給送する導管、快適さおよび他の理由（たとえば褥瘡ケア）のための身体のさまざまな部位に対する空気作動式外部メッセージ装置、廃棄物を吸引する導管、創傷の灌注用の動力源として用いられる導管、患者換気システムとして用いられる、空気を送達する導管等がある。
【００４５】
さらに、制御システム３２は、ポートに結合されるかまたはポートに極めて近接している装置の存在を検出するように適合される。たとえば、ポートに極めて近接している場合には、装置がポートに対して０〜１２インチ（約３０．４８センチメートル）または０〜６インチ（約１５．２４センチメートル）または０〜３インチ（約７．６２センチメートル）の範囲内にあることが含まれ得る。各ポート２８ａ〜２８ｄは、それぞれの装置に貼り付られたＲＦＩＤタグを読み取るＲＦＩＤリーダ７８等のセンサを有することができる。ＲＦＩＤタグは、装置の識別コードを含むか、または装置に関する情報、たとえば最小圧力要件および／または最大圧力要件等、装置を作動するための圧力要件を含むことができる。このように、ＲＦＩＤタグによって伝達される情報に基づいて、制御システム３２は、装置に必要な、適当な圧力を確定し（複数の装置に対する１つまたは複数のパラメータを含んでもよい、制御システムメモリデバイスに格納されたルックアップテーブルにより、または単にタグによって提供される情報に基づいて等）、その後、システムの圧力を調整し、適当な圧力を、装置が取り付けられているポートに給送することができる。あるいは、制御システム３２を、脈動流体または一定の流れの流体を供給するように構成してもよく、それにより、単に装置に加圧流体の形態のエネルギーを提供し装置が流体の使用を制御するのではなく、制御システム３２を用いて装置を制御することができる。したがって、制御システム３２を、装置を制御し、装置がいかに動作するかを確定するように構成することができる。言い換えれば、装置をエネルギー供給システムに結合し、その出力を制御システム３２が制御することができる。
【００４６】
上述したように、制御システム３２は、流体移動システム３０内の圧力のレベルを制御する。上述したように、正圧ライン３８および膨張／収縮ライン４０の各々はそれぞれの調整器３８ａ、４０ａを有しており、それは、中央コントローラまたは中央処理装置８０を有する制御システム３２と通信し、それによって制御される。コントローラ８０は、調整器と、ポートに設けられているそれぞれのＲＦＩＤリーダ７８と通信する。このように、ＲＦＩＤリーダがそれぞれの装置のＲＦＩＤタグを読み取る時、中央処理装置８０と通信しているＲＦＩＤリーダは、装置の識別かまたはそれぞれの装置が必要な圧力範囲もしくは圧力を示す信号を生成する。それにより、コントローラ（８０）は、調整器３８ａおよび４０ａを通して適当なライン（３８または４０）における圧力を調整して自動システムを提供する。たとえば、コントローラ８０をポートのうちの１つに隣接して取り付けることができ、または、基部、サイドレール、フットボードまたはヘッドボードに取り付けることができる。
【００４７】
代替的に、また追加的にに、制御システム３２は、手動入力を提供することができる。たとえば、コントローラ８０を、キーパッド、タッチスクリーン等のユーザ入力装置に接続することができ、それにより、ヘルスケア提供者等の使用者が、いずれのポートを用いるか選択し、そのポートに結合される装置のタイプを入力することができる。これを、アイコン、たとえば各ポートに対するアイコンを用いて、かつ／またはメニュー、たとえばポートのメニューおよび／またはポートに結合することができる装置のメニューを用いて、達成することができる。さらに、ユーザ入力装置は、使用者が圧力、流れのタイプ、たとえば脈流または一定流、脈流の周波数、または脈流の形状を選択することができるように、キーパッド等のボタンを含むことができる。さらに、ユーザ入力装置により、使用者は、流体の流れの持続時間または流体の温度を選択することができてもよい。たとえば、ユーザ入力を、ポートのうちの１つにまたはその近くに配置することができ、かつ／またはサイドレール、ヘッドボードまたはフットボードに配置することができる。好適なユーザ入力装置の例、およびユーザインタフェースを提供するために用いることができる好適なボタン、メニューおよびタッチスクリーンディスプレイの例については、２００６年１２月１８日に出願された、「病院ベッド（HOSPITAL BED）」と題する同時係属特許出願第１１／６１２，４２８号明細書（代理人整理番号ＳＴＲ０３Ａ  Ｐ−１０２Ａ）、２００６年１２月１８日に出願された、「病院ベッド（HOSPITAL BED）」と題する同第１１／６１２，４０５号明細書（代理人整理番号ＳＴＲ０３Ａ  Ｐ−１０２Ｂ）、２００６年１２月１９日に出願された、「病院ベッド（HOSPITAL BED）」と題する同第１１／６４２，０４７号明細書（代理人整理番号ＳＴＲ０３Ａ  Ｐ−１０２Ｃ）、２００６年１２月１８日に出願された、「病院ベッド（HOSPITAL BED）」と題する同第１１／６４２，３６１号明細書（代理人整理番号ＳＴＲ０３Ａ  Ｐ−１０２Ｄ）、２００７年１１月１６日に出願された、「制御が改善された患者支持器（PATIENT SUPPORT WITH IMPROVED CONTROL）」と題する同第１１／９４１，３３８号明細書（代理人整理番号ＳＴＲ０３Ａ  Ｐ−１９９）を参照されたい。これらはすべて、ミシガン州カラマズーのストライカー・コーポレイション（Stryker Corporation（Kalamazoo, MI））によって権利が共有されており、開示内容がすべて参照により本明細書に援用される。
【００４８】
あるいは、空気圧ベースのユーザインタフェースを用いることができる。たとえば、「息操作（sip & puff）」コントロール等、空気を用いてスイッチを作動させる空気ボタンを用いて、機能を選択するか、またはコントローラを介してポートに結合された装置の動作を制御することができる。これらコントロールは、単純なオン／オフ機能を提供してもよく、または、機能のメニューの選択を提供してもよい。さらに、音声駆動コントロールをコントローラ８０に組み込んでもよく、それにより、使用者は、何の機能が行われるべきかをコントローラに簡単に指示することができる。さらに、リモートコントロールを用いてコントローラ８０を制御することができる。たとえば、コントローラ８０を、遠隔のナースステーションに、または病院もしくは患者支持器が位置している施設から離れた遠隔地を含む遠隔地に、リンクを用いて接続することができる。リンクは、ＲＳ２３２ケーブル等の配線リンクであっても、無線周波数または赤外線周波数無線送信を含む無線リンクであってもよく、その場合、コントローラ８０は、無線通信を可能にするように受信器または送受信器を有する。たとえば、エネルギー供給システムが流体をたとえば人口呼吸器に供給する場合、人工呼吸器への流体の供給を、コントローラ８０を介して遠隔で制御することができる。さらに、人工呼吸器とコントローラとの間のデータリンクを設けることができ、それは、人工呼吸器からのデータをコントローラ８０に送信し、それにより人工呼吸器を遠隔で監視し制御することができる。
【００４９】
上述したように、患者支持器に含むことができる装置には、高圧または真空補助閉鎖チャンバを含む、高圧治療装置または真空補助閉鎖装置があり、それは膨張式装置であってもよく、さらに、後に、より十分に説明するように患者支持器に組み込まれてもよい。たとえば、好適な高圧または真空補助閉鎖装置は、米国特許第５，１５４，６９７号明細書、同第５，６３６，６４３号明細書、同第４，９６９，８８０号明細書および同第５，６４５，０８１号明細書に記載されており、それらの開示内容はすべて参照により本明細書に援用される。
【００５０】
図８Ｂを参照すると、圧力調整器３８ａ、４０ａおよびＲＦＩＤリーダ７８と通信する中央処理装置８０はまた、圧縮機３４とも通信する。さらに、中央処理装置８０は、弁４０ｂ、６０ａおよび４９ａと通信して、それぞれのラインを通る流体の移動を制御する。さらに、中央処理装置８０は、ＬＣＤディスプレイ等のディスプレイ８２（図５）と通信する。ディスプレイ８２を、ポート２８ａ〜２８ｄにまたはその近くに設け、それぞれのポートに結合される装置のタイプ、システムによってそれぞれのポートに供給される圧力、またはポートに関連する情報を表示するために用いることができる。さらに、中央処理装置８０は、送風機７４および加熱／冷却モジュール７０と通信することにより、流体移動システム３０における流体の加熱および冷却を制御する。
【００５１】
任意に、システム１２はまた、酸素濃縮器を含む酸素供給源９０も有することができる。それは、ライン９２およびソレノイド制御弁等の制御弁９４を通してそれぞれのポート２８ａ〜２８ｄと流体連通している。任意に、酸素をライン９２内に注入することにより、酸素レベルを上昇させることができ、またはライン９２に注入することにより、たとえば人工呼吸器を通して患者に送達するように、もしくは患者の創傷の治療のために高圧治療チャンバで用いるために、選択されたポートにおいて１００％または約１００％酸素を提供することができる。これについては、後に、より十分に説明する。したがって、コントローラ８０はまた、弁９４と通信することによりライン９２における酸素の流れも制御する。さらに、システム１２は、ライン３８、４０および９２のうちの任意の１つに加湿器を組み込むことができ、これは、高圧治療装置または薬物送達装置で使用するために特に好適であり得る。
【００５２】
動作時、制御処理装置８０は、調整器３８ａおよび４０ａを通る圧力を調整することにより、それぞれのポートに給送される流体の圧力を制御する。さらに、制御装置８０は、それぞれのポートにおける制御装置８４と通信し、制御装置８４は、それぞれのポートに一定の加圧流体またはオン／オフ加圧流体または酸素のいずれかが給送されるか否か、または、それぞれのポートに真空圧が供給されるか否かを制御する。たとえば、好適な制御装置は、３ラインシステムの場合は三方弁、４ラインシステムの場合は四方弁を有することができる。好適な三方弁または四方弁にはソレノイド弁またはソレノイドマニホルドがある。このように、中央処理装置は、装置がそれぞれのポートにおいて一定の圧力を必要としていることを検出すると、制御装置は、流体移動システムがそれぞれのポートにおいて適当な圧力または真空を供給するように構成する。任意に、各ポートは圧力計８６を有することができ、それは、それぞれのポートにおいて圧力を検出しそれを示す。
【００５３】
図９を参照すると、数字１０’は、手術台または手術室台の形態での患者支持器の別の実施形態を示す。患者支持器１０’は、同様に、基部１６’に取り付けられる支持面１４’を有している。支持面１４’は、台座２４’によって基部１６’から片持ちされる、足部２０ａ’、座部２０ｂ’および頭部２０ｃ’を備えた複数の連接部２０’を有している。任意に、台座２４’は入れ子式台座であり、それにより患者支持面を、アクチュエータ（図示せず）によって上昇または下降させることができる。支持面１４’は、さらに、脚バッド、胴パッドおよび頭パッド等、複数のパッドを有しており、それらは、フォームパッドまたはブラダを備えたパッドまたはそれらの組合せからなってもよい。
【００５４】
支持面１４’の周囲の間隔を空けた位置に、複数のポート２８ａ’、２８ｂ’および２６’が取り付けられており、それらは、加圧流体流を含む流体流または真空圧を、患者支持器１０に関して上述したポートと同様に提供する。ポート２８ａ’、２８ｂ’および２６は、流体移動システムおよび／または真空システムに結合されており、上述したシステムと同様の制御システムによって制御される。したがって、患者支持器１０’のエネルギー供給システムのさらなる詳細については、第１実施形態を参照されたい。流体移動システムおよび／または真空システムのさまざまな部品を、基部１６’に、さらには患者支持面１４’の下方に同様に支持し配置することにより、この場合もまた、電動装置に関連する付随的な危険なしに患者支持面にまたはその近くにエネルギーを給送することができるシステムを提供することができる。
【００５５】
図１０を参照すると、上述したように、患者支持器１０は膨張式装置に動力を供給することができる。図１０に最もよく示すように、膨張式装置の一例は、膨張式チャンバまたはテント１００を含み、それを設けることによって、たとえば脈動洗浄装置１０２等の灌注器具から遮蔽を形成し、かつそこからのはね返しを保持することができる。好適な洗浄装置は、米国特許第４，２７８，０７８号明細書、同第６，０９９，４９４号明細書および同第６，１７９，８０７号明細書に記載されており、それらはすべて、ミシガン州カラマズーのストライカー・コーポレイション（Stryker Corporation（Kalamazoo, MI））によって権利が共有されており、開示内容がすべて参照により本明細書に援用される。
【００５６】
たとえば、脈動洗浄装置１０２を、患者支持器１０のポート（２８ａ〜２８ｄ）の１つに結合することができ、それを用いて、脈動流体を患者の身体の一部に、たとえばチャンバ１００に形成された開口１０４を通して向けることができる。任意に、チャンバ１００はブーツを組み込むことができ、それは、洗浄装置の先端を受け入れるが、先端が、患者を適切に治療するために操作されるのを可能にする。たとえば、チャンバ１００を、患者の脚または患者の他の四肢もしくは胴を受け入れるように構成することができる。さらに、上述したように、チャンバ１００を、配管等の導管を通して患者支持器１０の別のポートに結合して、チャンバを膨張させる加圧空気源を提供することも可能である。
【００５７】
図１１を参照すると、後に、より十分に説明するチャンバまたは他の膨張式装置を、患者支持器１０に取り付けられるハウジング１１０に組み込むかまたは格納することができる。たとえば、ハウジング１１０を、中間枠２２の真下に取り付けることができる。ハウジング１１０は、任意にアクセス開口１１２を有し、それは、ハウジング１１０内に位置する使い捨て膨張式装置に手が届くようにし、ハウジング１１０から膨張式装置を取り出すのを可能にする。このように、介護者が使い捨て膨張式装置を利用したい場合、装置をハウジング１１０から取り出し、その後任意に患者支持器１０のエネルギー供給システム１２に結合して装置を膨張させるか、または外部圧力供給源に結合することができる。さらに、開口により、膨張式装置の供給源を補充するかまたは再装填することができてもよく、またはハウジング自体が、別の貯蔵されたハウジングと交換するために取外し可能であってもよい。ハウジングを中間枠に取り付けられるように示し図示しているが、ハウジング１１０を、フットボード、サイドレールまたはヘッドボード内または上を含む、患者支持器の別の場所に配置することができることが理解されるべきである。
【００５８】
たとえば、図１２を参照すると、膨張式マスク１２０として別の好適な膨張式装置を構成することができる。マスク１２０は、患者の顔の少なくとも一部を覆うことにより、傷あと、たとえば手術の傷あとを治療するために、真空補助閉鎖治療または薬物治療または高圧治療等の治療を提供するように構成されている。マスク１２０はカバーを有し、それは、患者の顔の少なくとも一部を覆いかつさらにはカバーの下にチャンバを形成するような形状である。カバーに導管１２２が結合されることにより、カバーを膨張させる。好適な導管１２２には、可撓性管等の管があり、それを患者支持器１０のエネルギー供給システム１２に結合してマスク１２０を膨張させることができる。さらに、膨張式装置１２０は第２導管１２４を有することができ、それは、真空圧、または酸素を含む加圧霧状気体等の加圧流体をチャンバ１２０ａ内に給送して、たとえば高圧治療装置または薬物治療装置を形成するように、チャンバと流体連通している。上述したように、酸素等の治療気体をエネルギー供給システム１２、または治療気体ボトル１２６によって供給することができ、上述したように、エネルギー供給システム１２は上述の流体移動システム３０に組み込むことができる。
【００５９】
図示する実施形態では、膨張式装置１２０は患者の顔に対するマスクを形成するように構成されているが、膨張式装置１２０を、患者の身体の他の部位を包むかまたは覆うように構成してもよい、ということが理解されるべきである。
【００６０】
図１３を参照すると、数字１３０は、膨張式装置の別の実施形態を示す。膨張式装置１３０は、折畳み式または巻付け式チャンバを備えており、それを、患者の脚等の患者の身体の一部の周囲に配置し、たとえば高圧治療または真空補助閉鎖治療または薬物治療に用いることができる。図示する実施形態では、膨張式装置１３０は２つの半体１３２および１３４を有しており、それらをたとえば患者の脚の周囲で折り重ね、その後、たとえば、チャンバの２つの半体の周縁部に沿ってジップロック式シール１３６によって封止する。さらに、たとえば、接着テープまたはベルクロ（Velcro）ストリップ等のコネクタ１４０を用いて患者の付属肢の周囲に締結するストラップまたはカラー１３８を有している。あるいは、装置１３０の２つの半体の周縁部は各々、封止面を備えたフランジを有していてもよく、それを合せて締め付けることにより、患者の付属肢の周囲に密閉されたチャンバを形成する。折り畳み式または巻付け式チャンバにより、患者の付属肢の周囲でのチャンバの配置が容易になり、チャンバが患者の付属肢の周囲に配置される時の患者に対する外傷が低減する。膨張式装置１３０の各半体１３２、１３４は、チャンバの各半体を膨張させるための可撓性管等の導管を組み込むことができる。あるいは、単一導管を用いて膨張式装置全体を膨張させてもよい。理解されるように、それぞれの導管１４２および１４４を、患者支持器１０に設けられたポートに結合することができる。さらに、上述したように、使い捨て膨張式装置１３０をたとえばハウジング１１０に格納してもよい（図１１）。
【００６１】
図１４および図１５を参照すると、数字１５０は、本発明に組み込むことができる治療装置の別の実施形態を示す。治療装置１５０は、膨張式装置を含むことができ、または、患者支持器１０を含む患者支持器に、たとえばＩＶ支持体１５２において連接アーム１５４によって取り付けられる、半剛性または剛性装置を含むことができる。アーム１５４により、装置１５０は、患者支持面１４に配置される配備位置から、アーム１５４により患者支持器１０のフットボード１５６の後方に枢動する格納位置まで移動することができる。さらに、アーム１５４を、交換または修理のため、もしくは単により永久的に格納するため、患者支持器から装置１５０を容易に取り除くことができるように構成することができる。図示する実施形態では、装置１５０は、高圧治療チャンバ等の治療チャンバを形成し、装置の一端に開口１５８を有しており、それにより患者の身体の一部を装置１５０のチャンバ１６０内に挿入し延在させることができ、それにより、その患者の身体の一部が、チャンバにおいて治療、たとえば、本技術分野において一般に既知である、酸素等の治療気体、または真空補助閉鎖等の真空治療、または局所薬物治療を受けることができる。好適なチャンバの一例は、米国特許第５，０６０，６４４号明細書に開示されており、その開示内容はすべて参照により本明細書に援用される。
【００６２】
さらに、装置１５０は、チャンバを気体、たとえば治療気体の供給源に、または真空圧に結合する導管１６２を組み込んでいる。先の実施形態に関連して上述したように、治療気体または真空圧を、エネルギー供給システム１２によって供給することができ、したがって、同様にポート２８ａ〜２８ｄのうちの１つに結合することができる。
【００６３】
図１６および図１７を参照すると、装置１５０を、あるいは、アーム１６４によって取り付けることができ、アーム１６４により、チャンバが、患者支持面１４の上のまたはわずか上方の配備位置と、たとえば中間枠２２の真下の格納位置と、の間で枢動することができる。図示する実施形態では、アーム１６４は、Ｕ字型アームからなり、たとえば中間枠２２内にまたはその下方に設けられるレセプタクルまたはソケット内に延在する、下部水平脚またはアーム１６４ａと、下部水平アーム１６４ａから垂直に隔置されかつ装置１５０が取り付けられる第２水平アーム１６４ｃを支持する、垂直部またはアーム１６４ｂと、を備えている。このように、アーム１６４が下方水平アーム１６４ａを中心に枢動すると、装置１５０は、枢動して、患者支持面から中間枠２２の真下まで弓形経路を移動する。同様に、先の実施形態に関して説明したように、装置１５０を、患者支持器１０に設けられたポートのうちの１つに結合して、治療気体（酸素等）、真空圧または治療流体を装置のチャンバに供給することができる。
【００６４】
さらに、図１７に最もよく示すように、第２装置１５０’を支持面１４の反対側に隣接して取り付けることにより、患者支持器１０に対して２つの装置を提供することができ、装置１５０’は同様にアーム１６４’によって取り付けられ、それによって装置１５０’は、患者支持面１４にまたは隣接して載っている配備位置から、中間枠２２の真下の収容位置まで移動することができる。図示する実施形態では、装置１５０は、患者の脚に治療を提供するように構成されているが、チャンバ１５０を、腕または患者の身体の別の部分を治療するように構成してもよいということが理解されるべきである。
【００６５】
図１８および図１９を参照すると、治療装置２５０の別の実施形態が示されている。図示する実施形態では、治療装置２５０は折畳み式装置であり、患者支持器１０のフットボード２５６に対してまたはその中に折り畳まれ、その後、図１９に示すような展開された位置まで延在することができる。あるいは、治療装置２５０を、アコーディオン状側部を有するように構成してもよく、それにより、治療装置２５０を、フットボード２５６内に完全に格納することができ、任意に、側部を剛性にするために膨張させることができ、その場合、装置の側部を、ベッド１０に設けられた空気供給源によって膨張させることができる。
【００６６】
図２０を参照すると、治療装置の先の実施形態の各々において、装置に、チャンバ内の空気の除染を提供するＵＶ光等のエネルギー源２７０を設けることができる。図示する実施形態では、チャンバ３５０は、チャンバ１５０および２５０と同様の構造である。このように、患者の身体の一部に高圧または真空補助閉鎖治療または薬物治療を提供することに加えて、それぞれのチャンバはまた、治癒を促進するために、チャンバ内または患者にいる可能性のあるバクテリアの除染および駆除を提供することも可能である。
【００６７】
図２１および図２２を参照すると、膨張式チャンバ等の膨張式装置の場合、任意にハウジング３１０を提供することができる。ハウジング３１０は、それぞれの膨張式装置に補強を提供するため、膨張式装置が膨張した時、ハウジング３１０によって補強し支持することができる。それは、特に、壁の厚さが非常に薄いプラスチックシート材から形成されることが好ましい使い捨て膨張式装置の場合に好適であり得る。
【００６８】
図示する実施形態では、ハウジング３１０は、上壁３１２と２つの対向する端壁３１４および３１６とを有しており、端壁３１６は、好ましくは膨張の前に患者の付属肢および膨張式装置を受け入れる開口３１８を有している。さらに、ハウジング３１０は、対向する側壁３２２および底壁３２４を有している。端壁３１４と側壁３２０および３２２とに開口３２６を形成してもよく、それは、チャンバとそこで治療される患者の付属肢とを見ることができるようにする。図２２を参照すると、ハウジング３１０を、プラスチックブランクまたは厚紙ブランク等のブランク３２８から形成することができ、それは、折り畳んだ後に連結するタブ３３０およびフラップ３３２で固定される。
【００６９】
図２３および図２４を参照すると、装置１５０を、あるいは、携帯型装置３４０として構成し、スタンド３５０に取り付けることができる。これにより、装置をベッドの周囲の複数の位置に配置することができ、したがってより高い柔軟性が提供される。スタンド３５０は、装置１５０がスタンド枠３６２から片持ちされるように構成されており、それにより、装置を、先の実施形態と同様に、患者支持面１４にわたって、かつ任意にその上に配置することができる。たとえば、枠３５２は、２つの略Ｕ字型側枠部材を備え、各々が、下部水平脚３５２ａ、垂直脚３５２ｂおよび垂直に隔置された第２水平脚３５２ｃを備える。Ｕ字型側枠部材は、ブレースまたは横方向部材３５４によって相互接続され、さらに、車輪またはローラ３５６が設けられることにより車輪付きスタンドを形成し、装置（１５０）の移動をさらに容易にする。装置１５０は、アーム３５２ｃに取り付けられ、上述したように片持ちされることにより、支持面１４にわたって配置されることが可能である。
【００７０】
霧状気体または薬物等の治療気体または真空圧が、導管３５８によって装置１５０のチャンバに給送される。導管３５８を、ボトル等の外部治療気体容器３６０または外部真空源等の外部供給源に結合することができ、または、ポート２８ａ〜２８ｄのうちの１つを介してエネルギー供給システムに結合することができる。導管は、外部流体または真空供給源、もしくは搭載型流体供給源または真空源に対する導管として作用することができる。
【００７１】
図２５〜図２７を参照すると、数字４１０は、全体として、本発明のエネルギー供給システムによって動力を供給することができる昇降装置を示す。昇降装置４１０は、患者が横臥しているシートＳの縁を把持するクランプまたは保持具４１２を有している。クランプ４１２は、伸長可能部材４１４の遠位端に取り付けられており、伸長可能部材４１４は、部材４１６により基部４１８に対して垂直移動するように支持されている。たとえば、伸長可能部材４１４を、空気圧シリンダによって基部４１８および部材４１６に対して上昇させることができる。空気圧シリンダは、エネルギー供給システム１２によって動力が供給され、部材４１６内に収容されることが可能である。シリンダの作動を、フットペダル等のペダル４２０を押下することにより、またはボタンもしくはスイッチにより、提供することができる。さらに、昇降機構４１０は、その移動を容易にするように車輪またはローラ４２２を組み込むことができる。
【００７２】
図２６および図２７に最もよく示すように、伸長可能部材４１４が部材４１５から伸長すると、クランプ４１２がシートの縁を持ち上げ、それによって患者が昇降機構から離れる方向に回転する。
【００７３】
図２８を参照すると、本発明の患者支持器１０のエネルギー供給システムによって動力を供給することができる昇降装置５１０の別の実施形態が示されている。昇降装置５１０は、ハウジング５１２と、ハウジング５１２に収容された機構によって上昇または下降する、一対の格納式昇降ストラップまたはテザー５１４等と、を有している。上記機構に対し、患者支持器１０のエネルギー供給システム１２により、導管５１６を介して動力を供給することができる。あるいは、昇降機構に対し電気によって動力を供給してもよく、電気もまた、搭載型ベッド電源によるかまたは外部電源によって提供することができる。
【００７４】
各ストラップまたはテザーは、患者が横臥しているシートＳの縁を把持するクランプ５１４ａを有している。クランプ５１２はストラップ５１４のそれぞれの遠位端に取り付けられており、ストラップ５１４は、上述したように、支持面１４に対して垂直移動するように支持されている。たとえば、ストラップ５１４を、ドラムの周囲に巻回し、ドラムが回転しストラップがドラムの周囲に巻き付けられると、面１４に対して上昇させることができる。
【００７５】
ハウジング５１２は、２つの垂直アーム５１０ａ、５１０ｃおよび水平アーム５１０ｂを備える枠によって支持器１０に取り付けられており、水平アーム５１０ｂは、アーム５１０ａとアーム５１０ｃとの間にかつ支持面１４の長さにわたっている。任意に、ハウジング５１２を枠に移動可能に取り付けることにより、支持器１０の長手方向軸に沿ったハウジング５１２の位置を調整することができてもよく、それは、患者の体重が支持器の一端に対し他端より集中している場合に必要であり得る。
【００７６】
理解されるように、ストラップ５１４がハウジング５１２内に格納されると、シートの縁が上昇し、それによって患者が患者支持器の一方の側に回転する。
【００７７】
さらに、昇降機構の支持器１０の周囲における移動を容易にするか、または別の支持器に移送するために、枠を、たとえば車輪またはローラで患者支持器から独立して支持することが可能である。
【００７８】
本発明のいくつかの形態を示し説明したが、ここで、当業者には他の形態が明らかとなろう。したがって、図面に示しかつ上述した実施形態は、単に例示の目的であり、本発明の範囲を限定するようには意図されていない。本発明の範囲は、等価物の原則を含む特許法の原理下で解釈されるように、以下の特許請求の範囲によって定義されている。
【００７９】
たとえば、エネルギー供給システムを、ポートに真空圧を提供するものとして説明したが、ポートのうちの１つに、真空発生器を介して別個の真空システムを結合してもよく、それにより搭載型システムの汚染が低減する。このように、ポートのうちの１つからの流体の高圧流体を用いて、真空発生器のベンチュリ効果を使用して真空を生成することができ、真空発生器は導管に結合され、導管は、望ましい場所に真空圧を供給することができる。これらおよび他の変更を、たとえば、特許請求の範囲によって定義されるような本発明の範囲から逸脱することなく行うことができる。
【図１】
2010523269.tif 000003
【図２】
2010523269.tif 000004
【図３】
2010523269.tif 000005
【図４】
2010523269.tif 000006
【図５】
2010523269.tif 000007
【図６】
2010523269.tif 000008
【図７】
2010523269.tif 000009
【図８Ａ】
2010523269.tif 000010
【図８Ｂ】
2010523269.tif 000011
【図９】
2010523269.tif 000012
【図１０】
2010523269.tif 000013
【図１１】
2010523269.tif 000014
【図１２】
2010523269.tif 000015
【図１３】
2010523269.tif 000016
【図１４】
2010523269.tif 000017
【図１５】
2010523269.tif 000018
【図１６】
2010523269.tif 000019
【図１７】
2010523269.tif 000020
【図１８】
2010523269.tif 000021
【図１９】
2010523269.tif 000022
【図２０】
2010523269.tif 000023
【図２１】
2010523269.tif 000024
【図２２】
2010523269.tif 000025
【図２３】
2010523269.tif 000026
【図２４】
2010523269.tif 000027
【図２５】
2010523269.tif 000028
【図２６】
2010523269.tif 000029
【図２７】
2010523269.tif 000030
【図２８】
2010523269.tif 000031
【国際調査報告】
2010523269.tif 000032